(57)【特許請求の範囲】
【請求項１】
箱本体の開口部に蓋を施蓋してこの蓋を締付金具により箱本体に締付保持させた電気機器収納用箱において、止めねじが組み込まれている締付金具を箱本体の額縁部同士が直交する箱本体の角部に起伏方向が４５度となるように起伏自在に設けるとともに、蓋の角部に止めねじの係合部を有する切欠を設けてあり、締付金具を起立させたときに前記した止めねじの係合部に止めねじを介入させた状態で締付けるようにして、さらに、前記締付金具が、止めねじを雌ねじ部に螺合させた操作部材と、箱本体側に設けられて前記操作部材を起伏自在に枢着させている支承部材とよりなり、操作部材には角覆部と両側の翼状覆部が形成されていてこの角覆部と翼状覆部と前記した止めねじの頭部により蓋の角部に設けられている切欠を覆うようにしたことを特徴とする電気機器収納用箱。
【発明の詳細な説明】
【０００１】
【発明の属する技術分野】
本発明は、例えば分電盤や配電盤等の電気機器を収納する電気機器収納用箱のに関するものである。
【０００２】
【従来の技術】
従来の電気機器収納用箱には、箱本体の開口部に蓋を施蓋し、この蓋を締付金具により締め付けたものを普通とし、その代表的なものは、図１７に示すように、箱本体の開口部の外側額縁面に雌ねじを設けてこの雌ねじに蓋の四隅にある固定孔に挿通した止めねじをねじ込んで蓋を締付固定するものであるが、このようなものでは雌ねじが箱本体の額縁面を貫通しているため内部に水が浸入する虞があるうえに、止めねじが脱落、紛失する虞がある。その対策としては蓋に止めねじを保持させておく抜け止めを設けてあるが、蓋を箱本体に取り付ける際に位置合わせをして止めねじを少し回し、仮止めした後に止めねじを締め付けなければならず、特に、この仮止め作業は非常に煩わしくしかも避けることができないという問題があった。
【０００３】
【発明が解決しようとする課題】
本発明が解決しようとするところは上記の問題点を解決し、内部に水が侵入する虞がある止めねじ用の貫通孔が不要で、しかも、止めねじの脱落する虞がないうえに蓋の着脱も容易に行なえる電気機器収納用箱を提供することにある。
【０００４】
【課題を解決するための手段】
上記の課題を解決するためになされた本発明の電気機器収納用箱は、箱本体の開口部に蓋を施蓋してこの蓋を締付金具により箱本体に締付保持させた電気機器収納用箱において、止めねじが組み込まれている締付金具を箱本体の額縁部同士が直交する箱本体の角部に起伏方向が４５度となるように起伏自在に設けるとともに、蓋の角部に止めねじの係合部を有する切欠を設けてあり、締付金具を起立させたときに前記した止めねじの係合部に止めねじを介入させた状態で締付けるようにして、さらに、前記締付金具が、止めねじを雌ねじ部に螺合させた操作部材と、箱本体側に設けられて前記操作部材を起伏自在に枢着させている支承部材とよりなり、操作部材には角覆部と両側の翼状覆部が形成されていてこの角覆部と翼状覆部と前記した止めねじの頭部により蓋の角部に設けられている切欠を覆うようにしたことを特徴とするものである。
【０００５】
【発明の実施の形態】
次に、本発明の実施の形態について図を参照しながら具体的に説明する。
本発明の電気機器収納用箱は、図１に示すように、従来のこの種の電気機器収納用箱と同様に、角形の箱本体１と、その開口部に施蓋される蓋２から構成されるものであるが、蓋２は箱本体１の各角部に起伏自在に設けられた締付金具３を起立させてこの締付金具３に組み込まれた止めねじ４により蓋２の各角部を箱本体１の各角部に締付保持させたものとしている。なお、図２は蓋２が固定された状態を示す平面図、図３は側面図、図４及び図５はそれぞれ図２の矢印Ａの方向及び矢印Ｂの方向から見た側面図である。
【０００６】
箱本体１は従来の電気機器収納用箱における箱本体と同様の角箱であって、その開口部には図６に示すように額縁部１ａが設けてあり、さらに、開口部端面は上方に折り曲げて水切り部１ｂを設けてある。一方、蓋２は角形の板材の周辺を折り曲げて縁辺部２ａを設けて薄い箱状にしたものであって、この蓋２の各角部には図７に示すように奥部を止めねじ４の係合部６とする切欠５を設けてあり、また、図示していないが蓋２の裏面には水切り部１ｂに当接する位置にパッキングを貼着してある。
【０００７】
前記した締付金具３は、図８に示すように、図９に示すような支承部材７を、図１０に示すような操作部材８の本体部にピン９をもって起伏自在に枢着したものである。前記した支承部材７は、略Ｌ形をした一対の板片をその下端において連繋一体化した状態として板金製のもので、その下部後端は位置決め腕部１０、１０とされ、また、上部先端は係合腕部１１、１１とされており、各係合腕部１１の先端部にはその内側に外側から打ち出して形成した係合突起１２が突設してあり、また、中央付近には前記したピン９を挿通させるピン孔１６が設けられている。一方、前記した操作部材８は、止めねじ４を螺合させて保持する上下方向の雌ねじ部１３が設けられている本体部の前面を角覆部８ａにより覆うとともにその両側よりそれぞれ１３５度の角度で斜め後向きの翼状覆部１４、１４を連設したものである。そして、この操作部材８の本体部の両側面に前記した支承部材７の略Ｌ形をした一対の板片を沿わせて、操作部材８の本体部に設けたピン孔１７に支承部材７の前記したピン孔１６を合致させ、この状態でピン孔１６、１７に挿通されたピン９により支承部材７に操作部材８を枢着させて操作部材８を起立させたときに略垂直に保持されるものとしてある。
【０００８】
また、操作部材８にはこの操作部材８を起立させた時と伏倒させたときにそれぞれ前記した支承部材７の係合腕部１１、１１に設けた係合突起１２、１２に係合する係合部１５ａ、１５ｂが設けてある。さらに、操作部材８の翼状覆部１４、１４の内側部には止めねじ４を締付けたときに、蓋２の縁辺部２ａに設けた切欠５の階段状の側縁の水平段部２ｂ、２ｂに当接する内側上向きの傾斜面１６ａ、１６ａを有する係合突起１６、１６が設けられている。また、雌ねじ部１３に止めねじ４を螺合させてある操作部材８を支承部材７に枢着してある締付金具３は、図１１及び図１２に示すように、前記した支承部材７を介して箱本体１の額縁部１ａの各角部に起伏自在に取付けられるものであるが、この取付時には位置決め腕部１０、１０を水切り部１ｂに当接させて締付金具３の位置決めを行い、締付金具３の起伏方向が４５度の方向になるようにして支承部材７の底面が額縁部１ａに固定されるものとしてある。
【０００９】
このように止めねじ４が組み込まれている起伏自在な締付金具３を箱本体１の額縁部１ａ同士が直交する箱本体の角部に起伏方向が４５度となるように設けることにより、箱本体１の額縁部１ａに締付金具３の設置面積を広く取ることができ、箱本体側面からの突出をなくすことができて電気機器収納箱を設置するスペースを小さくすることができ、さらに、止めねじ４の脱落、紛失の虞がなく、また、箱本体１に止めねじ用の貫通孔を設けなくて済み、防水性を確保することも可能となる。
【００１０】
次に、蓋２を箱本体１の開口部に施蓋してこの蓋２を締付金具３により締め付ける状態を図１３乃至図１６により説明する。
図１３は平面図、図１４は側面図、図１５及び図１６はそれぞれ図１３の矢印Ａの方向及び矢印Ｂの方向から見た図であって、開蓋された箱本体１の開口部に蓋２を装着する時には、箱本体１の各角部に起伏自在に設けられている各締付金具３は箱本体１の角部において斜めに伏倒保持された状態にあるうえに、蓋２の角部に切欠５を設けてあるので、蓋２を装着するうえで締付金具３が邪魔になることがなく、また、図示例では係合突起１２に係合部１５ｂが係合してこれにより締付金具３の伏倒状態が保持されているので、箱本体１を垂直位置に設置する場合でも締付金具３が蓋２を装着するうえで邪魔になることがない。
【００１１】
しかして、箱本体１の開口部に蓋２を施蓋したならば、次に、箱本体１の角部に設けた起伏自在な締付金具３を起立させる。このとき、蓋２の角部には奥部を止めねじ４の係合部とする切欠５が設けられているので、各締付金具３の止めねじ４は切欠５の開口から奥部の係合部６に円滑に介入されて止めねじ４はこの係合部６に係合された状態で略垂直に仮保持される。このとき図示例のものでは支承部材７の係合突起１２と操作部材８の係合部１５ａとが係合することとなるので締付金具３は的確に起立状態とされる。続いて、この仮保持状態にある締付金具３に組み込まれている止めねじ４を締めていけば、図１乃至図５に示すように、蓋２の角部が止めねじ４により箱本体１の角部に完全に締付けられて保持されるうえ、蓋２の裏面に貼着されたパッキングが水切り部１ｂに押し付けられ、蓋２は箱本体１の開口部を密封する良好な気密状態が得られる。このとき蓋２の角部にある切欠５はその側面が起立した締付金具３の角覆部８ａと翼状覆部１４、１４とにより覆われるとともに、上面が止めねじ４の頭部により覆われるので、切欠５から異物が浸入することが抑止され、これと同時に外観が向上して体裁のよいものとなる。
【００１２】
また、止めねじ４を締付けたときに、操作部材８の翼状覆部１４、１４の内側部に設けた係合突起１６、１６と、蓋２の縁辺部２ａに設けた切欠５の階段状の側縁の水平段部２ｂ、２ｂに当接していることにより、不慮の外力等により操作部材８が伏倒するような方向に力が加えられたときにも、止めねじ４が切欠５より外れることはない。なお、電気機器収納用箱を壁に近接して設置する場合のように、締付金具３を伏倒できない場合には、壁に接した側の締付金具３を伏倒させるのではなく止めねじ４を完全に取り外すことができるようにしておくことが好ましく、このためには止めねじ４を雌ねじ部１３に対して離脱できるように螺合させておくものとする。
なお、本発明の電気機器収納用箱は金属製であるか合成樹脂製であるかを限定しないことは勿論である。
【００１３】
【発明の効果】
本発明は以上の説明から明らかなように、箱本体の開口部に施蓋される蓋を締付金具により箱本体に締付けるようにした電気機器収納用箱において、止めねじが組み込まれている締付金具を箱本体の角部に起伏自在に設けるとともに、蓋の角部に止めねじの係合部を有する切欠を設けてあり、締付金具を起立させたときに前記した止めねじの係合部に止めねじを介入させた状態で締付けるようにしたので、箱本体の額縁部に締付金具の設置面積を広く取ることができ、箱本体側面から突出しないようにしたものであるから、電気機器収納用箱の設置スペースを小さくすることができるものとなる。さらに、止めねじは開蓋時でも僅かに緩めるだけで箱本体の角部に起伏自在に設けられている締付金具に組み込まれたまま取り外されることがないので、蓋の開閉や締付作業が容易なうえに止めねじが脱落したり、紛失する虞もなく、さらにまた、箱本体に止めねじ用の貫通孔を設ける必要がないために防水性を確保することが可能となるなど多くの利点がある。従って、本発明は従来の電気機器収納用箱における蓋のねじ止め上の問題点を解決した電気機器収納用箱として業界に寄与するところ極めて大である。
【図面の簡単な説明】
【図１】本発明の実施の形態を示す斜視図である。
【図２】本発明の実施の形態を示す角部の平面図である。
【図３】本発明の実施の形態を示す角部の側面図である。
【図４】図２における矢印Ａの方向から見た側面図である。
【図５】図２における矢印Ｂの方向から見た側面図である。
【図６】箱本体の要部の断面図である。
【図７】蓋の角部の平面図である。
【図８】締付金具の斜視図である。
【図９】支承部材の斜視図である。
【図１０】操作部材の斜視図である。
【図１１】蓋を取り除いた状態を示す平面図である。
【図１２】蓋を取り除いた状態を示す側面図である。
【図１３】蓋を装着した状態を示す角部の平面図である。
【図１４】蓋を装着した状態を示す角部の側面図である。
【図１５】図１３における矢印Ａの方向から見た側面図である。
【図１６】図１３における矢印Ｂの方向から見た側面図である。
【図１７】従来の電気機器収納用箱の例を蓋を外した状態で示す斜視図である。
【符号の説明】
１  箱本体
２  蓋
３  締付金具
４  止めねじ
５  切欠
６  係合部
７  支承部材
８  操作部材
8a  角覆部
13  雌ねじ部
14  翼状覆部
【図１】
0004036677.tif 000002
【図２】
0004036677.tif 000003
【図３】
0004036677.tif 000004
【図４】
0004036677.tif 000005
【図５】
0004036677.tif 000006
【図６】
0004036677.tif 000007
【図７】
0004036677.tif 000008
【図８】
0004036677.tif 000009
【図９】
0004036677.tif 000010
【図１０】
0004036677.tif 000011
【図１１】
0004036677.tif 000012
【図１２】
0004036677.tif 000013
【図１３】
0004036677.tif 000014
【図１４】
0004036677.tif 000015
【図１５】
0004036677.tif 000016
【図１６】
0004036677.tif 000017
【図１７】
0004036677.tif 000018